(57)【要約】【課題】安定したコアンダ気流を生じさせる構成を備えた空調室内機の提供。【解決手段】空調室内機１０は、吹出口１５から吹き出される吹出空気の流れをコアンダ効果により所定の方向へ誘導可能な空調室内機であって、水平羽根３１と、コアンダ羽根３２と、リブ部３４と、を備える。水平羽根３１は、吹出空気の方向を上下に調整する。コアンダ羽根３２は、吹出口１５の近傍に設けられている。また、コアンダ羽根３２は、水平羽根３１で方向調整された吹出空気を自己のコアンダ面３３に沿わせたコアンダ気流にする。リブ部３４は、コアンダ羽根３２のコアンダ面３３の両端部近傍領域から中央部近傍領域に向かって流れる空気の流れを阻むためのものである。【選択図】図１
2013137161.tif 000002
【特許請求の範囲】
【請求項１】
吹出口（１５）から吹き出される吹出空気の流れをコアンダ効果により所定の方向へ誘導可能な空調室内機であって、
前記吹出空気の方向を上下に調整する水平羽根（３１）と、
前記吹出口の近傍に設けられ、前記水平羽根で方向調整された前記吹出空気を自己の下面（３３，１３３）に沿わせたコアンダ気流にするコアンダ羽根（３２）と、
前記下面の両端部近傍領域から中央部近傍領域に向かって流れる空気の流れを阻むための阻害部（３４，１３４）と、
を備える、空調室内機（１０，１１０）。
【請求項２】
前記阻害部（３４）は、前記下面の前記両端部から隆起するリブである、
請求項１に記載の空調室内機（１０）。
【請求項３】
前記リブは、傾斜面（３４ｂ、３４ｃ）を含む、
請求項２に記載の空調室内機。
【請求項４】
前記リブは、前記吹出口の両端部よりも中央側に位置している、
請求項２又は３に記載の空調室内機。
【請求項５】
前記阻害部（１３４）は、前記コアンダ羽根とは別部材である、
請求項１に記載の空調室内機（１１０）。
【請求項６】
前記阻害部は、前記吹出口が形成されているケーシング（１１）内に収納された収納状態と、前記吹出口の長手方向両端部から前方に向かって前記ケーシング外に迫り出すように移動した移動状態と、を採る、
請求項５に記載の空調室内機。
【発明の詳細な説明】
【技術分野】
【０００１】
本発明は、コアンダ効果を利用して吹出空気の流れを所定の方向へ誘導可能な空調室内機に関する。
【背景技術】
【０００２】
従来より、コアンダ効果を利用して、吹出空気の流れを所定の方向へ誘導可能な空調室内機がある。
【０００３】
例えば、特許文献１（特開２００２−６１９３８号公報）に記載の空調室内機では、上下風向板によって偏向された吹出空気を、前方傾斜部に沿った気流、いわゆるコアンダ気流にして天井へ導いている。これにより、気流を天井面に沿わせて遠方へ到達させることができる。
【発明の概要】
【発明が解決しようとする課題】
【０００４】
しかしながら、特許文献１では、コアンダ気流を前方傾斜部から剥離させないための手段については言及されているものの、コアンダ気流を安定的に生じさせる手段については全く言及されていない。
【０００５】
そこで、本発明の課題は、安定したコアンダ気流を生じさせる構成を備えた空調室内機を提供することにある。
【課題を解決するための手段】
【０００６】
本発明の第１観点に係る空調室内機は、吹出口から吹き出される吹出空気の流れをコアンダ効果により所定の方向へ誘導可能な空調室内機であって、水平羽根と、コアンダ羽根と、阻害部と、を備える。水平羽根は、吹出空気の方向を上下に調整する。コアンダ羽根は、吹出口の近傍に設けられている。また、コアンダ羽根は、水平羽根で方向調整された吹出空気を自己の下面に沿わせたコアンダ気流にする。阻害部は、コアンダ羽根の下面の両端部近傍領域から中央部近傍領域に向かって流れる空気の流れを阻むためのものである。
【０００７】
コアンダ羽根の下面に沿ったコアンダ気流を生じさせると、コアンダ気流の動圧によって、コアンダ羽根の側方の空気が、コアンダ羽根の両端部からコアンダ気流に引き込まれる。このとき、コアンダ気流のうち、コアンダ羽根の両端部に沿う気流は、側方からの空気に押されることで、中央寄りの気流になりやすい。
【０００８】
そこで、本発明の第１観点に係る空調室内機は、コアンダ羽根の下面の両端部近傍領域から中央部近傍領域に向かって流れる空気の流れを阻むための阻害部を備えている。このため、コアンダ羽根の下面に沿ったコアンダ気流を生じさせたときに、コアンダ羽根の両端部よりも側方の空気がコアンダ羽根の両端部から引き込まれる流れが生じても、阻害部によって、その空気の流れを阻むことができる。この結果、コアンダ気流のうちコアンダ羽根の両端部に沿う気流が中央寄りの不安定な気流になるおそれを低減することができる。
【０００９】
これによって、安定したコアンダ気流を生じさせることができる。
【００１０】
なお、ここでいう「コアンダ羽根の両端部」とは、コアンダ羽根の両側方の端部のことである。
【００１１】
本発明の第２観点に係る空調室内機は、第１観点の空調室内機において、阻害部は、コアンダ羽根の下面の両端部から隆起するリブである。この空調室内機では、コアンダ羽根の下面の両端部近傍領域から中央部近傍領域に向かって流れる空気の流れを、リブによって阻むことができるため、簡易な構成によって、安定したコアンダ気流を生じさせることができる。
【００１２】
本発明の第３観点に係る空調室内機は、第２観点の空調室内機において、リブは、傾斜面を含む。リブが傾斜面を含んでいることで、リブ近傍で気流の渦や乱流が発生するおそれを低減することができる。この結果、コアンダ羽根が結露するおそれを低減することができる。
【００１３】
本発明の第４観点に係る空調室内機は、第２観点又は第３観点の空調室内機において、リブは、吹出口の両端部よりも中央側に位置している。このため、例えば、リブが吹出口の両端部よりも外側、すなわち、両端部側に位置している空調室内機よりも、コアンダ羽根の下面の両端部近傍領域から中央部近傍領域に向かって流れる空気の流れをより効果的に阻むことができる。
【００１４】
本発明の第５観点に係る空調室内機は、第１観点の空調室内機において、阻害部は、コアンダ羽根とは別部材である。この空調室内機では、コアンダ羽根とは別の部材によって、コアンダ羽根の下面の両端部近傍領域から中央部近傍領域に向かって流れる空気の流れを阻むことができる。
【００１５】
本発明の第６観点に係る空調室内機は、第５観点の空調室内機において、阻害部は、収納状態と、移動状態とを採る。収納状態とは、吹出口が形成されているケーシング内に収納された状態のことである。移動状態とは、吹出口の両端部から前方に向かってケーシング外に迫り出すように移動した状態のことである。吹出空気をコアンダ気流にする必要のあるときには、阻害部に移動状態を採らせることで、コアンダ羽根の下面の両端部近傍領域から中央部近傍領域に向かって流れる空気の流れを阻んで安定したコアンダ気流を生じさせることができる。また、阻害部が可動部材であり、かつ、ケーシング内に収納可能であるため、例えば、吹出空気をコアンダ気流にする必要のないときには、阻害部に収納状態を採らせることで、空調室内機の美感を損なうおそれを低減することができる。この空調室内機では、コアンダ羽根の下面の両端部近傍領域から中央部近傍領域に向かって流れる空気の流れを阻んで安定したコアンダ気流を生じさせることができると共に、美感を損なうおそれを低減することができる。
【発明の効果】
【００１６】
本発明の第１観点に係る空調室内機では、コアンダ羽根の下面の両端部近傍領域から中央部近傍領域に向かって流れる空気の流れを阻むための阻害部を備えていることで、安定したコアンダ気流を生じさせることができる。
【００１７】
本発明の第２観点に係る空調室内機では、阻害部がリブであるため、簡易な構成によって安定したコアンダ気流を生じさせることができる。
【００１８】
本発明の第３観点に係る空調室内機では、リブが傾斜面を含んでいることで、コアンダ羽根が結露するおそれを低減することができる。
【００１９】
本発明の第４観点に係る空調室内機では、リブが吹出口の両端部よりも中央側に位置していることで、コアンダ羽根の下面の両端部近傍領域から中央部近傍領域に向かって流れる空気の流れを効果的に阻むことができる。
【００２０】
本発明の第５観点に係る空調室内機では、コアンダ羽根とは別の部材によって、コアンダ羽根の下面の両端部近傍領域から中央部近傍領域に向かって流れる空気の流れを阻むことができる。
【００２１】
本発明の第６観点に係る空調室内機では、コアンダ羽根の下面の両端部近傍領域から中央部近傍領域に向かって流れる空気の流れを阻んで安定したコアンダ気流を生じさせることができると共に、美感を損なうおそれを低減することができる。
【図面の簡単な説明】
【００２２】
【図１】本発明の第１実施形態に係る運転時の空調室内機の正面図。
【図２】運転時の空調室内機を下側から視た図。
【図３】運転停止時の空調室内機の断面図。
【図４】運転時の空調室内機の断面図。
【図５】運転時の空調室内機の断面図。
【図６】コアンダ羽根の概略図。
【図７】コアンダ羽根の外側面に沿ったコアンダ気流の流れを説明するための図。
【図８】本発明の第２実施形態に係る運転時の空調室内機の正面図。
【図９】運転時の空調室内機を側方から視た概略図。
【発明を実施するための形態】
【００２３】
以下、図面を参照しながら、本発明の実施形態について説明する。なお、以下の実施形態は、本発明の具体例であって、本発明の技術的範囲を限定するものではない。
【００２４】
＜第１実施形態＞
（１）空調室内機の構成
図１は、本発明の第１実施形態に係るコアンダ気流利用モード実行時の空調室内機１０の正面図である。図２は、コアンダ気流利用モード実行時の空調室内機１０を下側から視た図である。図３は、運転停止時の空調室内機１０の断面図である。図４は、コアンダ気流利用モード実行時の空調室内機１０の断面図である。図５は、斜め方向から視たコアンダ気流利用モード実行時の空調室内機１０の断面図である。
【００２５】
空調室内機１０は、室内の壁面に取り付けられる壁掛け型の空調室内機であり、本体ケーシング１１、室内熱交換器１３、室内ファン１４、底フレーム１６、及び制御部４０を備えている。
【００２６】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２７】
天面部１１ａは、本体ケーシング１１の上部に位置し、天面部１１ａの前部には、吸込口１９が設けられている。
【００２８】
前面パネル１１ｂは空調室内機１０の前面部を構成しており、吸込口１９がないフラットな形状を成している。また、前面パネル１１ｂは、その上端が天面部１１ａに回動自在に支持され、ヒンジ式に動作することができる。
【００２９】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３０】
本体ケーシング１１の下部には、吹出口１５が設けられている。吹出口１５には、吹出口１５から吹き出される吹出空気の上下方向の流れを変更する水平羽根３１が回動自在に取り付けられている。水平羽根３１は、モータ（図示せず）によって駆動し、吹出空気の上下方向の流れを変更するだけでなく、吹出口１５を開閉することもできる。また、水平羽根３１は、傾斜角度が異なる複数の姿勢を採ることが可能である。
【００３１】
また、吹出口１５の近傍であって、水平羽根３１の上方には、コアンダ羽根３２が設けられている。コアンダ羽根３２は、モータ（図示せず）によって駆動して、傾斜角度が異なる複数の姿勢を採ることが可能である。なお、コアンダ羽根３２は、運転停止時に前面パネル１１ｂに設けられた収容部６０に収容される。
【００３２】
さらに、吹出口１５は、吹出流路１８によって本体ケーシング１１の内部と繋がっている。吹出流路１８は、吹出口１５から底フレーム１６のスクロール面１７に沿って形成されている。
【００３３】
室内空気は、室内ファン１４の稼動によって吸込口１９、室内熱交換器１３を経て室内ファン１４に吸い込まれ、室内ファン１４から吹出流路１８を経て吹出口１５から吹き出される。
【００３４】
制御部４０は、本体ケーシング１１を前面パネル１１ｂから視て室内熱交換器１３及び室内ファン１４の右側方に位置しており、室内ファン１４の回転数制御や水平羽根３１及びコアンダ羽根３２の動作制御を行う。また、制御部４０は、水平羽根３１及びコアンダ羽根３２を独立して駆動させる。
【００３５】
（２）詳細構成
（２−１）前面パネル
前面パネル１１ｂは、図３に示すように、本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部６０を成している。収容部６０の表面もなだらかな円弧曲面である。
【００３６】
（２−２）吹出口
吹出口１５は、図３に示すように、本体ケーシング１１の下部に形成されており、本体ケーシング１１の長手方向を長辺とする長方形の開口である。吹出口１５の下端部（後端部）は下部水平板１１ｄの前方エッジに接しており、吹出口１５の下端部（後端部）と上端部（前端部）とを結ぶ仮想面は前方上向きに傾斜している。
【００３７】
（２−３）スクロール面
スクロール面１７は、室内ファン１４に対峙するように湾曲した隔壁であり、底フレーム１６の一部である。また、スクロール面１７は、吹出流路１８の下部を形成しており、スクロール面１７の終端Ｆは、吹出口１５の周縁近傍まで到達している。吹出流路１８を通る空気は、スクロール面１７に沿って進み、スクロール面１７の終端Ｆの接線方向に送られる。したがって、吹出口１５に水平羽根３１がなければ、吹出口１５から吹き出される吹出空気が向かう方向（吹出空気の風向き）は、スクロール面１７の終端Ｆの接線Ｌ０に概ね沿った方向になる（図４参照）。
【００３８】
（２−４）垂直羽根
垂直羽根２０は、複数の羽根片２１と、複数の羽根片２１を連結する連結棒２３を有している（図３及び図４参照）。また、垂直羽根２０は、吹出流路１８において、水平羽根３１よりも室内ファン１４近傍に配置されている。
【００３９】
複数枚の羽根片２１は、連結棒２３が吹出口１５の長手方向に沿って水平往復移動することによって、その長手方向に対して垂直な状態を中心に左右に揺動する。なお、連結棒２３は、モータ（図示せず）によって水平往復移動する。
【００４０】
（２−５）水平羽根
水平羽根３１は、空調室内機１０の長手方向に長い板状の部材であって、吹出口１５を塞ぐことができる程度の面積を有している（図１及び図２参照）。水平羽根３１が吹出口１５を閉じた状態において、その外側面３１ａは前面パネル１１ｂの曲面の延長上にあるような外側に凸のなだらかな円弧曲面に仕上げられている。また、水平羽根３１の内側面３１ｂも、外側面３１ａにほぼ平行な円弧曲面を成している。なお、本実施形態では、水平羽根３１の内側面３１ｂが円弧曲面を成しているが、水平羽根３１の内側面が平面であってもよい。
【００４１】
水平羽根３１は、下端部（後端部）に回動軸３７を有している。回動軸３７は、吹出口１５の下端部（後端部）近傍で、本体ケーシング１１に固定されているステッピングモータ（図示せず）の回転軸に連結されている。
【００４２】
回動軸３７が図３の正面視反時計方向に回動することによって、水平羽根３１の上端部（前端部）が吹出口１５の上端部（前端部）側から遠ざかるように動作して、吹出口１５を開ける。逆に、回動軸３７が図３の正面視時計方向に回動することによって、水平羽根３１の上端部（前端部）が吹出口１５の上端部（前端部）側へ近づくように動作して、吹出口１５を閉じる。
【００４３】
水平羽根３１が吹出口１５を開けている状態において、吹出口１５から吹き出された吹出空気は、水平羽根３１の内側面３１ｂに概ね沿って流れる。このため、水平羽根３１の内側面３１ｂがスクロール面１７の終端Ｆの接線Ｌ０よりも上側にある場合には、スクロール面１７の終端Ｆの接線方向に概ね沿って吹き出された吹出空気は、その風向きが水平羽根３１によって上向きに変更される。
【００４４】
（２−６）コアンダ羽根
図６（ａ）は、コアンダ羽根３２を外側面３２ａ側から視た概略図である。図６（ｂ）は、コアンダ羽根３２を上端部３２ｄ側から視た図であって、リブ部３４を説明するための図である。なお、図６では、コアンダ羽根３２を簡略化して描いている。また、図６（ａ）では、コアンダ面３３に沿ったコアンダ気流の流れを矢印で示している。
【００４５】
コアンダ羽根３２は、図１及び図２に示すように、空調室内機１０の長手方向に長い板状の部材である。なお、本実施形態では、コアンダ羽根３２の長手方向の寸法は、水平羽根３１の長手方向の寸法以上となるように、設計されている。
【００４６】
また、コアンダ羽根３２の外側面３２ａは、コアンダ羽根３２が収容部６０に収容された状態で、前面パネル１１ｂのなだらかな円弧曲面の延長上にあるような外側に凸のなだらかな円弧曲面に仕上げられている。
【００４７】
また、コアンダ羽根３２は、空調運転が停止している場合や後述する通常吹出モードで運転している場合は、収容部６０に収納されている。
【００４８】
そして、コアンダ羽根３２は、回動することによって収容部６０から離れて、前後方向に傾斜した姿勢を採る。コアンダ羽根３２の回動軸３８は、収容部６０の下端近傍で且つ本体ケーシング１１の内側の位置（吹出流路１８上壁の上方の位置）に設けられており、コアンダ羽根３２の下端部３２ｅと回動軸３８とは所定の間隔を保って連結されている。それゆえ、回動軸３８が回動してコアンダ羽根３２の上端部３２ｄが前面パネル１１ｂの収容部６０から離れるほど、コアンダ羽根３２の下端部３２ｅの高さ位置は低くなるように回転する。また、コアンダ羽根３２が回動して開いたときの傾斜は、前面パネル１１ｂの傾斜よりも緩やかである。
【００４９】
さらに、回動軸３８が図３の正面視反時計方向に回動することによって、コアンダ羽根３２の上端部３２ｄおよび下端部３２ｅともに円弧を描きながら収容部６０から離れるが、そのとき、コアンダ羽根３２の上端部３２ｄと収容部６０との最短距離は、コアンダ羽根３２の下端部３２ｅと収容部６０との最短距離より大きい。そして、回動軸３８が図３の正面視時計方向に回動することによって、コアンダ羽根３２は収容部６０に近づき、最終的に収容部６０収容される。
【００５０】
なお、コアンダ羽根３２は、収容部６０に収納された姿勢の他に、回転して前方上向きに傾斜した姿勢や、さらに回転して前方下向きに傾斜した姿勢などを採ることができる。
【００５１】
（２−７）リブ部
リブ部３４，３４は、外側面３２ａと一体に設けられており、外側面３２ａから隆起している。また、本実施形態では、リブ部３４，３４は、外側面３２ａの両側端部よりも、すなわち、コアンダ羽根３２の両側端部３２ｃ，３２ｃよりも中央側に位置している。さらに、本実施形態では、リブ部３４，３４は、外側面３２ａにおいて、吹出口１５の左右方向（長手方向）の端部である両側端部１５ｃ、１５ｃよりも中央側に位置している。
【００５２】
また、リブ部３４は、頂部３４ａと、第１傾斜面３４ｂと、第２傾斜面３４ｃと、を含んでおり、その縦断面が略三角形状を呈している。頂部３４ａは、コアンダ羽根３２の上下方向（コアンダ羽根３２の長手方向に直交する方向）に、外側面３２ａの上端部（コアンダ羽根３２の上端部３２ｄ）から外側面３２ａの下端部（コアンダ羽根３２の下端部３２ｅ）まで延びている。第１傾斜面３４ｂは、頂部３４ａから外側面３２ａの中央側に向かって延びる傾斜した面である。第２傾斜面３４ｃは、頂部３４ａから外側面３２ａの側端部（コアンダ羽根３２の側端部３２ｃ）側に向かって延びる傾斜した面である。
【００５３】
さらに、コアンダ羽根３２の内側面３２ｂは、収容部６０の表面に沿うような円弧曲面に仕上げられている。なお、本実施形態では、コアンダ羽根３２の外側面３２ａが円弧曲面を成しているが、コアンダ羽根３２の外側面３２ａが平面であってもよい。
【００５４】
（３）吹出空気の方向制御
空調室内機１０は、吹出空気の方向を制御する手段として、通常吹出モードや下吹きモードの他に、吹出口１５から吹き出される吹出空気の流れをコアンダ効果により所定の方向へ誘導するコアンダ気流利用モードを有している。
【００５５】
通常吹出モードでは、制御部４０の制御により水平羽根３１のみが回動されることで、吹出空気の方向を調整する。コアンダ気流利用モードでは、制御部４０の制御によりコアンダ羽根３２及び水平羽根３１が回動されることで、水平羽根３１で方向調整された吹出空気を、コアンダ効果によってコアンダ羽根３２の外側面３２ａに沿わせたコアンダ気流にする。下吹きモードでは、制御部４０の制御により水平羽根３１及びコアンダ羽根３２のそれぞれの先端を前方下向きに回動されることで、吹出空気を下方に導く。
【００５６】
また、水平羽根３１及びコアンダ羽根３２は、上記各モードにおいて、空気の吹出方向ごとに、その姿勢が変化する。上記各モードにおいて採用される水平羽根３１及びコアンダ羽根３２の姿勢は、予め設定されており、制御部４０の有する記憶部（図示せず）に記憶されている。
【００５７】
なお、吹出方向の選択は、ユーザーがリモコン５０等を介して行なうことができるものとする。また、モードの変更や吹出方向は自動的に変更されるように制御することも可能である。
【００５８】
ここで、コアンダ（効果）とは、気体や液体の流れのそばに壁があると、流れの方向と壁の方向とが異なっていても、壁面に沿った方向に流れようとする現象である（朝倉書店「法則の辞典」）。そして、コアンダ羽根と水平羽根とが共同して、吹出空気をコアンダ羽根の外側面に沿ったコアンダ気流にする場合、コアンダ羽根の外側面にコアンダ効果を生じさせるには、水平羽根の内側面によって変更された吹出空気の方向の傾斜が、コアンダ羽根の姿勢（傾斜）に近くなる必要があり、両者が離れすぎていると、コアンダ羽根の外側面においてコアンダ効果が生じない。
【００５９】
このため、吹出空気を、コアンダ羽根の外側面に沿ったコアンダ気流にするためには、コアンダ羽根と水平羽根とによって形成される開き角度を所定角度以下の角度に、すなわち、コアンダ羽根と水平羽根との相対角度を前記所定角度以下の角度にする必要がある。そして、コアンダ羽根及び水平羽根の相対角度を前記所定角度以下の角度にすることで、吹出空気をコアンダ羽根の外側面に沿ったコアンダ気流にすることができる。この結果、吹出空気の風向きが、水平羽根によって変更された後、さらにコアンダ効果により変更されるため、コアンダ気流を利用した風向きを形成することができる。
【００６０】
図７は、コアンダ羽根５３２の外側面５３２ａに沿ったコアンダ気流の流れを説明するための概念図であって、図７（ａ）は、コアンダ羽根５３２の外側面５３２ａ全域でコアンダ気流が発生している状態を示しており、図７（ｂ）は、コアンダ羽根５３２の外側面５３２ａの一部でコアンダ気流が発生している状態を示しており、図７（ｃ）は、コアンダ羽根５３２の外側面５３２ａに沿ったコアンダ気流が発生していない状態を示している。
【００６１】
ところで、図７に示すように、外側面５３２ａの両側端部５３２ｃ、５３２ｃ近傍に本実施形態のようなリブ部が設けられていないコアンダ羽根５３２を備える空調室内機において、コアンダ羽根５３２が水平羽根と共同して吹出空気をコアンダ羽根５３２の外側面５３２ａに沿ったコアンダ気流にする場合に、コアンダ羽根５３２及び水平羽根の相対角度を、前記所定角度よりも小さい角度から徐々に大きくしていくと、コアンダ羽根５３２の外側面５３２ａ全域で安定したコアンダ気流になっていた吹出空気（図７（ａ）参照）が、コアンダ羽根５３２の外側面５３２ａの中央部ではコアンダ気流になるがコアンダ羽根５３２の外側面５３２ａの両側端部５３２ｃ、５３２ｃではコアンダ気流にならない不安定な気流になり（図７（ｂ）参照）、さらにコアンダ羽根５３２及び水平羽根の相対角度を大きくしていくと、コアンダ羽根５３２の外側面５３２ａではコアンダ気流にはならずに水平羽根の内側面に沿った気流になる（図７（ｃ）参照）。
【００６２】
このことから、コアンダ羽根５３２及び水平羽根の相対角度の角度範囲を、コアンダ気流の状態によって、コアンダ羽根５３２の外側面５３２ａ全域で安定したコアンダ気流が発生する角度範囲（以下、第１角度範囲という）と、コアンダ羽根５３２の外側面５３２ａの一部（中央部）ではコアンダ気流が発生するけれども、コアンダ羽根５３２の外側面５３２ａの他部（両側端部５３２ｃ、５３２ｃ）ではコアンダ気流が発生しておらず不安定な気流になる角度範囲（以下、第３角度範囲という）と、コアンダ羽根５３２の外側面５３２ａではコアンダ気流が全く発生しない角度範囲（以下、第２角度範囲という）と、に分けることができる。また、第１角度範囲と第２角度範囲との間に第３角度範囲があることから、第１角度範囲の所定角度は第３角度範囲の所定角度よりも小さく、第２角度範囲の所定角度は、第３角度範囲の所定角度よりも大きいといえる。
【００６３】
なお、コアンダ羽根５３２及び水平羽根の相対角度が第３角度範囲の所定角度にある場合には、コアンダ羽根５３２の外側面５３２ａに沿ったコアンダ気流が発生していても、コアンダ羽根５３２の外側面５３２ａの両側端部５３２ｃ、５３２ｃの気流が中央寄りに偏向した流れになっている（図７（ｂ）参照）。これは、コアンダ羽根５３２の側方の空気が、コアンダ気流の動圧によって、コアンダ羽根５３２の両側端部５３２ｃ、５３２ｃからコアンダ気流に引き込まれることで、コアンダ気流において、コアンダ羽根５３２の両側端部５３２ｃ、５３２ｃに沿う気流が、側方からの空気に押されて中央部寄りの不安定な気流になっていると考えられる。
【００６４】
そこで、本実施形態では、コアンダ気流を発生させる外側面３２ａにおいて、コアンダ羽根３２の両側端部３２ｃ，３２ｃ近傍にリブ部３４，３４を設けることで、コアンダ羽根３２の側方からの空気の流れを阻み、この結果、外側面３２ａにおいて両リブ部３４，３４に挟まれている領域（以下、コアンダ面３３という）で、吹出空気を安定したコアンダ気流にすることができる。
【００６５】
（４）特徴
（４−１）
上述したように、コアンダ羽根及び水平羽根が共同して、コアンダ効果によって、吹出空気をコアンダ羽根の外側面に沿ったコアンダ気流にした場合、コアンダ気流の動圧によって、コアンダ羽根の側方の空気が、コアンダ羽根の両側端部からコアンダ気流に引き込まれる。このとき、コアンダ気流のうち、コアンダ羽根の両側端部に沿う気流は、側方からの空気に押されることで中央寄りの気流になりやすい。
【００６６】
そこで、本実施形態では、外側面３２ａに、コアンダ羽根３２の両側端部３２ｃ，３２ｃ近傍領域から中央部近傍領域に向かって流れる空気の流れを阻むためのリブ部３４，３４が設けられている。このため、コアンダ羽根３２の側方の空気がコアンダ面３３に進入するおそれを低減することができる。この結果、コアンダ面３３に沿うコアンダ気流が中央寄りの不安定な気流になるおそれを低減することができる。
【００６７】
これによって、安定したコアンダ気流を生じさせることができている。
【００６８】
（４−２）
本実施形態では、リブ部３４，３４は、外側面３２ａにおいて、コアンダ羽根３２の両側端部３２ｃ，３２ｃ近傍に、すなわち、コアンダ面３３の両側端部に設けられている。そして、リブ部３４，３４は、外側面３２ａ（コアンダ面３３）から隆起するように設けられている。このため、簡易な構成によって、コアンダ面３３の両側端部よりも側方の空気がコアンダ面３３に進入するおそれを低減することができている。
【００６９】
（４−３）
本実施形態では、リブ部３４，３４は、第１傾斜面３４ｂ，３４ｂ及び第２傾斜面３４ｃ，３４ｃを含んでおり、縦断面が略三角形状を呈している。このため、リブ部３４，３４近傍で気流の渦や乱流が発生するおそれを低減することができる。この結果、コアンダ羽根３２が結露するおそれを低減することができている。
【００７０】
（４−４）
本実施形態では、リブ部３４，３４が、吹出口１５の両側端部１５ｃ，１５ｃよりも中央側に位置している。このため、例えば、外側面３２ａにおいて、リブ部が吹出口の両側端部よりも外側（側端部側）に位置している空調室内機と比較して、より効果的に、コアンダ気流の動圧によってコアンダ気流に引き込まれるコアンダ羽根３２の側方の空気の流れを阻むことができる。
【００７１】
（４−５）
本実施形態では、外側面３２ａにおいて、コアンダ羽根３２の両側端部３２ｃ，３２ｃ近傍にリブ部３４，３４を設けることで、コアンダ羽根３２の側方の空気がコアンダ面３３に進入するおそれを低減し、コアンダ面３３に沿うコアンダ気流が中央寄りの不安定な気流になるおそれを低減している。このため、本実施形態の水平羽根３１及びコアンダ羽根３２の相対角度が、リブ部が設けられていない空調室内機ではコアンダ気流が不安定な気流になる第３角度範囲に属する所定角度であっても、コアンダ面３３全域で安定したコアンダ気流を発生させることができる。したがって、リブ部が設けられていない空調室内機と比較して、コアンダ面３３全域で安定したコアンダ気流が発生する角度範囲である第１角度範囲を広げることができる。
【００７２】
これによって、コアンダ気流利用モードにおけるコアンダ羽根３２及び水平羽根３１のそれぞれの姿勢のバリエーションを増やすことができるため、コアンダ気流の風向設定の自由度を向上させることができる。
【００７３】
（５）変形例
（５−１）変形例１Ａ
上記実施形態では、リブ部３４が第１傾斜面３４ｂ及び第２傾斜面３４ｃを含んでいるが、コアンダ羽根の両側端部近傍領域から中央部近傍領域に向かって流れる空気の流れを阻むことができれば、リブ部の構成はこれに限定されない。
【００７４】
ただし、コアンダ羽根が結露するおそれを低減するためには、リブ部において気流の渦や乱流の発生を防止するためにリブ部が傾斜面を含んでいた方が好ましい。
【００７５】
また、上記実施形態では、リブ部３４，３４が、吹出口１５の両側端部１５ｃ，１５ｃよりも中央側に位置しているが、リブ部が吹出口の両側端部よりも外側（側端部側）に位置していてもよい。
【００７６】
＜第２実施形態＞
以下に、本発明の第２実施形態に係る空調室内機１１０について説明する。
【００７７】
（１）空調室内機の構成
図８は、本発明の第２実施形態に係るコアンダ気流利用モード実行時の空調室内機１１０の正面図である。図９は、コアンダ気流利用モード実行時の空調室内機１１０を側方から視た概略図である。
【００７８】
空調室内機１１０は、室内の壁面に取り付けられる壁掛け型の空調室内機であり、本体ケーシング１１、室内熱交換器、室内ファン１４、底フレーム、及び制御部を備えている。なお、第２実施形態の空調室内機１１０において、制御部及びガイド板１３４以外の部品については、第１実施形態と同様の構成であるため、以下の説明では、第１実施形態と同様の符号を用いて説明するが、各部品の説明は省略する。
【００７９】
制御部は、室内ファン１４の回転数制御や、水平羽根３１、コアンダ羽根３２及びガイド板１３４，１３４の動作制御を行う。また、制御部は、水平羽根３１、コアンダ羽根３２及びガイド板１３４，１３４を独立して駆動させる。
【００８０】
（２）ガイド板
ガイド板１３４，１３４は、コアンダ羽根３２とは別の板状の部材であって、吹出口１５の両側端部１５ｃ，１５ｃよりも中央側に配置される。また、ガイド板１３４，１３４の上下方向の寸法は、吹出口１５の側端部１５ｃ，１５ｃの寸法（吹出口１５の前端部と後端部とを結んだ直線の寸法）よりも短い。
【００８１】
さらに、ガイド板１３４，１３４は、モータ（図示せず）を有する所定の駆動機構（図示せず）によって駆動され、収納状態と移動状態とを採る。収納状態とは、ガイド板１３４，１３４が、本体ケーシング１１内に収納された状態のことであって、本実施形態では、吹出流路１８内に収納されている。また、移動状態とは、収納状態を採るガイド板１３４，１３４が、吹出口１５の両側端部１５ｃ，１５ｃから前方に向かって本体ケーシング１１外に迫り出すように移動して、外側面３２ａの正面側の空間（図９では、コアンダ羽根３２の下側の空間）をコアンダ羽根３２の側方から覆うように配置された状態のことである。また、ガイド板１３４，１３４が移動状態を採る場合には、外側面３２ａとガイド板１３４，１３４の上端部１３４ａ，１３４ａとが接触しており、ガイド板１３４，１３４が外側面３２ａからコアンダ羽根３２の長手方向に交差する方向（本実施形態では直交する方向）に延びるように配置される。
【００８２】
また、ガイド板１３４，１３４の状態を切り換える駆動機構は、モータによって駆動する構成であればどのような機構であってもよく、例えば、ラック／ピニオン機構を有する駆動機構及び／又はリンク機構などが採用されてもよい。
【００８３】
なお、本実施形態では、移動状態を採ったガイド板１３４，１３４の下端部１３４ｂ，１３４ｂと水平羽根３１との間に隙間が設けられているが、ガイド板のサイズを大きくして、水平羽根との間の隙間をなくすようにしてもよい。
【００８４】
（３）吹出空気の方向制御
空調室内機１１０は、吹出空気の方向を制御する手段として、通常吹出モードや下吹きモードの他に、吹出口１５から吹き出される吹出空気の流れをコアンダ効果により所定の方向へ誘導するコアンダ気流利用モードを有している。
【００８５】
なお、各モードにおける水平羽根３１及びコアンダ羽根３２の制御は、第１実施形態と同様であるため、ここでは説明を省略する。そして、以下では、各モードにおけるガイド板１３４，１３４の制御について説明する。
【００８６】
通常吹出モードや下吹きモードが実行される場合には、制御部の制御により、ガイド板１３４，１３４が移動され、或いは、移動されずに、収納状態を採る。よって、通常吹出モードや下吹きモードでは、ガイド板１３４，１３４が本体ケーシング１１から迫り出した状態にないため、空調室内機１１０の美感を損なうおそれを低減することができる。
【００８７】
一方で、コアンダ気流利用モードでは、コアンダ羽根３２及び水平羽根３１が共同して、コアンダ効果によって、吹出空気をコアンダ羽根３２の外側面３２ａに沿ったコアンダ気流にするが、このとき、吹出空気を安定したコアンダ気流にするためには、第１実施形態でも述べたように、コアンダ気流の動圧によってコアンダ気流に引き込まれるコアンダ羽根３２の側方の空気の流れを阻む必要がある。
【００８８】
そこで、コアンダ気流利用モードが実行される場合には、制御部の制御により、ガイド板１３４，１３４が移動され、或いは、移動されずに、移動状態を採る。このため、コアンダ気流利用モードでは、コアンダ気流を発生させる外側面３２ａにおいて、コアンダ羽根３２の両側端部３２ｃ，３２ｃ近傍にガイド板１３４，１３４が配置されることで、コアンダ羽根３２の側方からの空気の流れを阻むことができる。これにより、外側面３２ａにおいて両ガイド板１３４，１３４に挟まれている領域（以下、コアンダ面１３３という）で、吹出空気を安定したコアンダ気流にすることができる。
【００８９】
（４）特徴
（４−１）
本実施形態では、コアンダ羽根３２の両側端部３２ｃ，３２ｃ近傍領域から中央部近傍領域に向かって流れる空気の流れを阻むために、外側面３２ａに、コアンダ羽根３２とは別部材のガイド板１３４，１３４が設けられている。このため、コアンダ羽根３２の側方の空気がコアンダ面１３３に進入するおそれを低減することができる。この結果、コアンダ面１３３に沿うコアンダ気流が中央寄りの不安定な気流になるおそれを低減することができる。
【００９０】
これによって、安定したコアンダ気流を生じさせることができている。
【００９１】
（４−２）
本実施形態では、ガイド板１３４，１３４は、駆動機構により駆動される可動部材であって、本体ケーシング１１内に収納可能である。このため、コアンダ羽根３２の外側面３２ａに沿ったコアンダ気流を利用しない通常吹出モードや下吹きモードの実行時、及び、運転停止時には、ガイド板１３４，１３４に収納状態を採らせることで、空調室内機１１０の美感を損なうおそれを低減することができる。
【００９２】
また、コアンダ羽根３２の外側面３２ａに沿ったコアンダ気流を利用するコアンダ気流利用モードの実行時には、ガイド板１３４，１３４が吹出口１５から前方に迫り出した移動状態を採ることで、コアンダ羽根３２の側方の空気がコアンダ面１３３へ進入するおそれを低減することができる。これにより、コアンダ面１３３に沿うコアンダ気流が中央寄りの不安定な気流になるおそれを低減することができ、安定したコアンダ気流を生じさせることができる。
【００９３】
（４−３）
本実施形態では、外側面３２ａにおいて、コアンダ羽根３２の両側端部３２ｃ，３２ｃ近傍にガイド板１３４，１３４を配置することで、コアンダ羽根３２の側方の空気がコアンダ面１３３に進入するおそれを低減し、コアンダ面１３３に沿うコアンダ気流が中央寄りの不安定な気流になるおそれを低減している。このため、本実施形態の水平羽根３１及びコアンダ羽根３２の相対角度が、ガイド板が設けられていない空調室内機ではコアンダ気流が不安定な気流になる第３角度範囲に属する所定角度であっても、コアンダ面１３３全域で安定したコアンダ気流を発生させることができる。したがって、ガイド板が設けられていない空調室内機と比較して、コアンダ面１３３全域で安定したコアンダ気流が発生する角度範囲である第１角度範囲を広げることができる。
【００９４】
これによって、コアンダ気流利用モードにおけるコアンダ羽根３２及び水平羽根３１のそれぞれの姿勢のバリエーションを増やすことができるため、コアンダ気流の風向設定の自由度を向上させることができる。
【産業上の利用可能性】
【００９５】
本発明は、安定したコアンダ気流を生じさせる構成に係る発明であるため、コアンダ効果によって吹出空気をコアンダ気流にする空調室内機への適用が有効である。
【符号の説明】
【００９６】
１１      本体ケーシング（ケーシング）
１５      吹出口
３１      水平羽根
３２      コアンダ羽根
３４      リブ部（阻害部／リブ）
３４ｂ    第１傾斜面（傾斜面）
３４ｃ    第２傾斜面（傾斜面）
１３４      ガイド板（阻害部）
１０，１１０  空調室内機
３３，１３３  コアンダ面（下面）
【先行技術文献】
【特許文献】
【００９７】
【特許文献１】特開２００２−６１９３８号公報
【図１】
2013137161.tif 000003
【図２】
2013137161.tif 000004
【図３】
2013137161.tif 000005
【図４】
2013137161.tif 000006
【図５】
2013137161.tif 000007
【図６】
2013137161.tif 000008
【図７】
2013137161.tif 000009
【図８】
2013137161.tif 000010
【図９】
2013137161.tif 000011